(57)【特許請求の範囲】
【請求項１】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出する方法であって、
前記受信信号と、前記有効シンボル分遅延させた前記受信信号との相関値を算出し、一定レベル以上の相関値が算出される周期の変化により、前記ヌルシンボルの位置を検出するようにすることを特徴とするヌルシンボル位置検出方法。
【請求項２】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出する方法であって、
前記受信信号と、前記有効シンボル分遅延させた前記受信信号との相関値を算出し、この相関値の出現パターンにより、前記ヌルシンボルの位置を検出するようにすることを特徴とするヌルシンボル位置検出方法。
【請求項３】
前記受信信号と、前記有効シンボル分遅延させた前記受信信号との前記相関値について、前記ガードバンドの期間に等しい期間分の移動平均を算出するようにし、算出した前記移動平均のピーク値を前記相関値として用いることを特徴とする請求項１または請求項２に記載のヌルシンボル位置検出方法。
【請求項４】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出する方法であって、
前記受信信号と、前記有効シンボル分遅延させた前記受信信号との相関値を算出し、この算出した相関値について、前記ガードバンドの期間に等しい期間分の移動平均を算出して、この移動平均のピーク値を求め、前記ピーク値の出現パターンと、前記ピーク値間の時間間隔とにより、前記ヌルシンボルの位置を検出することを特徴とするヌルシンボル位置検出方法。
【請求項５】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出するヌルシンボル位置検出装置であって、
前記受信信号を前記有効シンボル分遅延させる遅延回路と、
前記受信信号と、前記遅延回路からの遅延するようにされた受信信号との相関値を算出する相関値算出回路と、
前記相関値算出回路から前記相関値の供給を受けて、一定レベル以上の相関値を検出するようにし、一定レベル以上の相関値が検出される周期の変化により、前記ヌルシンボルの位置を検出するヌルシンボル検出回路と
を備えることを特徴とするヌルシンボル位置検出装置。
【請求項６】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出するヌルシンボル位置検出装置であって、
前記受信信号を前記有効シンボル分遅延させる遅延回路と、
前記受信信号と、前記遅延回路からの遅延するようにされた受信信号との相関値を算出する相関値算出回路と、
前記相関値算出回路からの前記相関値の出現パターンより、前記ヌルシンボルの位置を検出するヌルシンボル検出回路と
を備えることを特徴とするヌルシンボル位置検出装置。
【請求項７】
前記相関値算出回路からの相関値の供給を受けて、前記相関値について、前記ガードバンドの期間に等しい期間分の移動平均を算出する移動平均算出回路と、前記移動平均算出回路により算出された前記移動平均のピーク値を検出するピーク値検出回路と
を備え、
前記ヌルシンボル検出回路は、前記ピーク値検出回路により検出される前記移動平均の前記ピーク値を前記相関値として用いて、前記ヌルシンボルの位置を検出するようにすることを特徴とする請求項５または請求項６に記載のヌルシンボル位置検出装置。
【請求項８】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出するヌルシンボル位置検出装置であって、
前記受信信号を前記有効シンボル分遅延させる遅延回路と、
前記受信信号と、前記遅延回路からの遅延するようにされた受信信号との相関値を算出する相関値算出回路と、
前記相関値算出回路からの相関値の供給を受けて、前記相関値について、前記ガードバンドの期間に等しい期間分の移動平均を算出する移動平均算出回路と、
前記移動平均算出回路からの移動平均のピーク値を検出するピーク値検出回路と、
前記ピーク値検出回路により検出される前記ピーク値の出現パターンと、前記ピーク値間の時間間隔とにより、前記ヌルシンボルの位置を検出するようにするヌルシンボル検出回路と
を備えることを特徴とするヌルシンボル位置検出装置。
【請求項９】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる伝送信号を受信する受信機であって、
受信選局回路と、
前記受信選局回路により受信選局された前記伝送信号を復調する復調回路と、
前記復調回路からの前記伝送信号を前記有効シンボルの期間分遅延させるようにする遅延回路と、
前記復調回路からの前記伝送信号と、前記遅延回路からの遅延するようにされた伝送信号との相関値を算出する相関値算出回路と、
前記相関値算出回路から前記相関値の供給を受けて、一定レベル以上の相関値を検出するようにし、一定レベル以上の相関値が検出される周期の変化により、前記ヌルシンボルの位置を検出するようにするヌルシンボル検出回路と、
前記ヌルシンボル検出回路により検出された前記ヌルシンボルの位置を用いて、前記受信選局回路において前記受信信号についての調整を行うようにする調整回路と
を備えることを特徴とする受信機。
【請求項１０】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる伝送信号の受信機であって、
受信選局回路と、
前記受信選局回路により受信選局された前記伝送信号を復調する復調回路と、前記復調回路からの前記伝送信号を前記有効シンボルの期間分遅延させるようにする遅延回路と、
前記復調回路からの前記伝送信号と、前記遅延回路からの遅延するようにされた伝送信号との相関値を算出する相関値算出回路と、
前記相関値算出回路からの前記相関値の出現パターンにより、前記ヌルシンボルの位置を検出するようにするヌルシンボル検出回路と、
前記ヌルシンボル検出回路により検出された前記ヌルシンボルの位置を用いて、前記受信選局回路において前記受信信号についての調整を行うようにする調整回路と
を備えることを特徴とする受信機。
【請求項１１】
前記相関値算出回路からの相関値の供給を受けて、前記相関値について、前記ガードバンドの期間に等しい期間分の移動平均を算出する移動平均算出回路と、
前記移動平均算出回路により算出された前記移動平均のピーク値を検出するピーク値検出回路と
を備え、
前記ヌルシンボル検出回路は、前記ピーク値検出回路により検出される前記移動平均のピーク値を前記相関値として用いて、前記ヌルシンボルの位置を検出するようにすることを特徴とする請求項９または請求項１０に記載の受信機。
【請求項１２】
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる伝送信号の受信機であって、
受信選局回路と、
前記受信選局回路により受信選局された前記伝送信号を復調する復調回路と、前記復調回路からの前記伝送信号を前記有効シンボルの期間分遅延させるようにする遅延回路と、
前記復調回路からの前記伝送信号と、前記遅延回路からの遅延するようにされた伝送信号との相関値を算出する相関値算出回路と、
前記相関値算出回路からの相関値の供給を受けて、前記相関値について、前記ガードバンドの期間に等しい期間分の移動平均を算出する移動平均算出回路と、前記移動平均算出回路からの移動平均のピーク値を検出するピーク値検出回路と、
前記ピーク値検出回路により検出される前記移動平均の前記ピーク値の出現パターンと、前記移動平均の前記ピーク値の時間間隔とにより、前記ヌルシンボルの位置を検出するようにするヌルシンボル検出回路と、
前記ヌルシンボル検出回路により検出された前記ヌルシンボルの位置を用いて、前記受信選局回路において前記受信信号についての調整を行うようにする調整回路と
を備えることを特徴とする受信機。
【発明の詳細な説明】
【０００１】
【発明の属する技術分野】
この発明は、例えば、ＤＡＢ（デジタル・オーディオ・ブロードキャスト）などのヌルシンボルを含む信号についてのヌルシンボル位置検出方法、ヌルシンボル位置検出装置およびヌルシンボルを含む信号の受信機に関する。
【０００２】
【従来の技術】
欧州では、ＤＡＢとよばれる欧州規格（Ｅｕｒｅｋａ１４７）のデジタルオーディオ放送が提供されるようになってきている。ＤＡＢは、複数の放送番組のオーディオデータや各種の制御情報や付加情報を多重化して形成した放送信号（アンサンブル信号）を送信する。この場合、オーディオデータは、国際標準方式であるＭＰＥＧオーディオ方式を用いて高能率符号化（データ圧縮）され、誤り訂正の畳み込み符号化などを用いた伝送路符号化が行われたものである。
【０００３】
そして、符号化されたオーディオデータなどのビット列はインターリーブされるとともに、直交周波数分割多重変調（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ変調）されて送信するようにされている。
【０００４】
このＤＡＢの放送信号は、図５に示すようなフレーム構造とされている。すなわち、ＤＡＢの放送信号の各フレームは、ヌルシンボル、同期用シンボル、ＦＩＣ（ファーストインフォメーションチャンネル）、ＭＳＣ（メインサービスチャンネル）からなっている。
【０００５】
図５に示したように、同期用シンボルは２シンボル用意されている。このうちヌルシンボルは、フレームの先頭位置を示すものである。このヌルシンボルには、送信所識別情報（ＴＩＩ）が、複数本のキャリアを用いて挿入されているが、データとして伝送するようにされる送信情報が何もない状態とされている。また、ヌルシンボルに続く同期シンボルは、受信装置において、周波数オフセットや時間オフセットを求めるための同期用の情報である。
【０００６】
ＦＩＣは、３シンボル（ブロック１〜ブロック３）用意されており、放送に関する情報として様々な情報を伝送することができるようにされている。例えば、放送番組の多重化の配列、放送局名（アンサンブルラベル）や番組名（プログラムラベル）などのラベル、放送番組の種類を示す情報などが、このＦＩＣにより伝送するようにされている。
【０００７】
ＭＳＣは、図５に示すように、多重化された複数の放送番組のデータフィールド（送信シンボル）を有するようにされている。すなわち、ＤＡＢの放送信号に多重化された複数のオーディオデータなどが、このＭＳＣの各データフィールドのデータである。また、ＭＳＣの各データフィールドは、図５に示すように、ガードバンド（ガードインターバル）と有効シンボルとからなっている。
【０００８】
このガードバンドの期間は、有効シンボルの期間の一部分、例えば、図５において、有効シンボルの後尾部分の期間ＤＫが示す期間と同じ情報を送信するようにされている。このガードバンドにより、例えば、自動車などの移動体においてＤＡＢの放送信号を受信する場合に、電波の反射の激しい都市部や丘陵地帯においての受信品質を、他の変調方式に比べ大幅に改善することができる。すなわち、最初の反射波と最後の反射波の時間差が、ガードバンドを越えない限り、符号間干渉は生じないし、波形等化する必要もないからである。
【０００９】
そして、ＤＡＢの受信機においては、前述したＦＩＣに含まれる放送番組を識別する情報や多重化に関する情報とを用いることによって、複数の放送番組が多重化されているＤＡＢの放送信号から、使用者からの指示に応じた放送番組を抽出して、再生し、高品質のオーディオ放送を聴取することができるようにされている。
【００１０】
【発明が解決しようとする課題】
ところで、前述したＤＡＢの放送信号を受信選局し、目的とする放送番組を聴取するようにするためには、ＤＡＢの放送信号のフレームの先頭を特定し、同期シンボル以下の情報を正確に抽出することができなければならない。そこで、ヌルシンボルの検出が、受信機において行われる。
【００１１】
通常、ヌルシンボルの位置の検出は、アナログ信号処理により行われる。すなわち、ＤＡＢの放送信号を受信し、これをエンベロープ検波すると、ヌルシンボルの部分では、エンベロープ波形のレベルは低くなる。そこで、エンベロープ波形と基準電圧とを比較することで、ヌル検出信号を発生させることができる。図６Ａは、受信されたＤＡＢの放送信号の波形を示したものであり、レベルが低くなっている部分がヌルシンボルの部分である。
【００１２】
この図６Ａに示したＤＡＢの放送信号（受信信号）のレベルと、基準電圧のレベルとを比較することにより、図６Ｂに示すように、ヌルシンボルの期間ではローレベルとなり、それ以外の期間ではハイレベルとなるヌル検出信号を形成することができる。
【００１３】
しかしながら、基準電圧の設定が適切でなかったり、あるいは、フェージングなどが生じる移動体でのＤＡＢの放送信号の場合には、受信信号が乱れて、常時安定にＤＡＢの放送信号を受信することができなかったりするために、正規のヌルシンボルの位置以外にもヌル検出信号が発生してしまうことがある。
【００１４】
例えば、自動車などの移動体が高速移動している場合、この移動中の移動体においてＤＡＢの放送信号を受信するようにすると、図７Ａに示すように、受信信号のエンベロープが、太くなったり細くなったりする。つまり、ヌルシンボルの期間でないのに、受信信号のエンベロープが細くなってしまうことがある。
【００１５】
この場合には、図７Ｂに示すように、ヌル検出信号は、本来のヌルシンボルの位置以外でも、ヌルシンボルが検出されたことを示すローレベルの信号になってしまい、ヌルシンボルの誤検出が発生し、迅速かつ正確なヌルシンボルの検出ができないということが発生する。
【００１６】
以上のことにかんがみ、この発明は、ヌルシンボルを含む放送信号を利用する場合に、どのような状況下においても迅速かつ正確にヌルシンボルを検出することができるようにするヌルシンボル位置検出方法、この方法を用いたヌルシンボル位置検出装置および受信機を提供することを目的とする。
【００１７】
【課題を解決するための手段】
上記課題を解決するため、請求項１に記載の発明のヌルシンボル位置検出方法は、
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出する方法であって、
前記受信信号と、前記有効シンボル分遅延させた前記受信信号との相関値を算出し、一定レベル以上の相関値が算出される周期の変化により、前記ヌルシンボルの位置を検出するようにすることを特徴とする。
【００１８】
この請求項１に記載のヌルシンボル位置検出方法によれば、ヌルシンボルと１つ以上の送信シンボルとが時分割的に多重化されて伝送される信号を受信し、その受信信号と、１有効シンボル分遅延させた受信信号との相関値が算出される。ヌルシンボルの期間の長さと、送信シンボルの期間の長さとは異なるようにされているので、単位伝送区間（フレーム）内においても、一定レベル以上の相関値が算出される周期は変化する。この一定レベル以上の相関値が算出される周期の変化により、ヌルシンボルの位置が検出するようにされる。
【００１９】
このように、一定レベル以上の相関値が算出される周期の変化に基づいて、ヌルシンボルの位置を検出するので、例えば、フェージングなどの影響を受けて、受信信号の受信レベルが変化することにより、ヌルシンボルの位置が正確に検出できなくなるなどのことがなく、いつでも、迅速かつ正確にヌルシンボルの位置を検出することができるようにされる。
【００２０】
また、請求項２に記載の発明のヌルシンボル位置検出方法は、
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出する方法であって、
前記受信信号と、前記有効シンボル分遅延させた前記受信信号との相関値を算出し、この相関値の出現パターンにより、前記ヌルシンボルの位置を検出するようにすることを特徴とする。
【００２１】
この請求項２に記載の発明のヌルシンボル位置検出方法によれば、受信信号と、１有効シンボル分遅延させた受信信号との相関値が算出される。そして、ヌルシンボルの期間の長さと、送信シンボルの期間の長さとは異なるようにされているので、相関値の出現パターンは、時間的にも、あるいは、相関値のレベルについても単位伝送区間内において変化する。この相関値の出現パターンの変化により、ヌルシンボルの位置が検出するようにされる。
【００２２】
このように、相関値の出現パターンに基づいて、ヌルシンボルの位置を検出するので、例えば、フェージングなどの影響を受けて、受信信号の受信レベルが変化することにより、ヌルシンボルの位置が正確に検出できなくなるなどのことがなく、いつでも、迅速かつ正確にヌルシンボルの位置を検出することができるようにされる。
【００２３】
また、請求項３に記載の発明のヌルシンボル位置検出方法は、請求項１または請求項２に記載のヌルシンボル位置検出方法であって、
前記受信信号と、前記有効シンボル分遅延させた前記受信信号との前記相関値について、前記ガードバンドの期間に等しい期間分の移動平均を算出するようにし、算出した前記移動平均のピーク値を前記相関値として用いることを特徴とする。
【００２４】
この請求項３に記載のヌルシンボル位置検出装置によれば、ガードバンドの期間の情報と、そのガードバンドに続く有効シンボルの終わりの部分（後尾部分）であって、ガードバンドの期間と同じ長さの部分（期間）の情報とは、同じ情報となるようにされている。
【００２５】
このため、受信信号と、有効シンボルの期間分遅延させた受信信号との相関値について、ガードバンドの期間と等しい期間分について移動平均を求めるようにすることにより、各送信シンボルの最後尾（送信シンボルと送信シンボルの境目）において、相関値の移動平均の値がピーク値となる。
【００２６】
そして、送信シンボルが連続する期間においては、移動平均のピーク値から次のピーク値までの期間は、正確に送信シンボルの期間に一致するが、ヌルシンボルの期間においては、ピーク値のレベルは低くなる。したがって、ピーク値の変化の周期やピーク値の出現パターンは、規則的に変化し、その検出も比較的に容易である。
【００２７】
このように、相関値の移動平均のピーク値を相関値として用い、このピーク値の周期の変化、あるいは、ピーク値の出現パターンにより、受信信号のヌルシンボルの位置が、迅速かつより正確に検出するようにされる。
【００２８】
また、請求項４に記載の発明のヌルシンボル位置検出方法は、
単位伝送区間が、その単位伝送区間の先頭のヌルシンボルと、その後に続く複数の送信シンボルとからなり、前記送信シンボルは、ガードバンドと有効シンボルとを有するとともに、前記ガードバンドの期間の情報と、前記有効シンボルの終わりの部分の情報とが同じになるようにされ、かつ、前記ヌルシンボルの期間の長さと、前記送信シンボルの期間の長さとが異なるようにされて伝送されてくる信号を受信し、その受信信号から前記ヌルシンボルの位置を検出する方法であって、
前記受信信号と、前記有効シンボル分遅延させた前記受信信号との相関値を算出し、この算出した相関値について、前記ガードバンドの期間に等しい期間分の移動平均を算出して、この移動平均のピーク値を求め、前記ピーク値の出現パターンと、前記ピーク値の時間間隔とにより、前記ヌルシンボルの位置を検出することを特徴とする。
【００２９】
この請求項４に記載の発明のヌルシンボル位置検出方法によれば、ガードバンドの期間の情報と、そのガードバンドに続く有効シンボルの終わりの部分（後尾部分）であって、ガードバンドの期間と同じ長さの部分（期間）の情報とは、同じ情報となるようにされている。
【００３０】
このため、受信信号と、有効シンボルの期間分遅延させた受信信号との相関値について、ガードバンドの期間と等しい期間分について移動平均を求めるようにすることにより、各送信シンボルの最後尾（送信シンボルと送信シンボルの境目）において、相関値の移動平均の値がピーク値となる。
【００３１】
そして、送信シンボルが連続する期間においては、移動平均のピーク値から次のピーク値までの期間は、正確に送信シンボルの期間に一致するが、ヌルシンボルの期間においては、ピーク値のレベルは低くなる。このため、まず、移動平均のピーク値の出現パターンに基づいて、ヌルシンボルを受信したことが検出される。ヌルシンボルの受信が検出された後、ピーク値間の時間間隔を求め、この時間間隔が、ヌルシンボルの期間を含んでいるか否かを検出して、受信信号のヌルシンボルの位置が正確に検出するようにされる。
【００３２】
これにより、受信信号の相関値の移動平均のピーク値を用いるようにしているので、受信信号の受信レベルに左右されることなく、ヌルシンボルの位置の検出が可能とされるとともに、ピーク値の時間間隔をも用いることにより、誤検出を発生させることなく、正確にヌルシンボルの位置が検出される。
【００３３】
【発明の実施の形態】
以下、図を参照しながら、この発明によるヌルシンボル位置検出方法、ヌルシンボル位置検出装置、これらの方法、装置を用いた受信機の一実施の形態について説明する。以下に説明する実施の形態においては、前述もしたように、欧州規格（Ｅｕｒｅｋａ１４７）のデジタルオーディオ放送（以下、ＤＡＢと略称する。）を受信選局する場合を例にして説明する。
【００３４】
なお、ＤＡＢには、幾つかのモードがあるが、以下に説明する実施の形態においては、例えば、単一周波数ネットワーク（Ｓｉｎｇｌｅ  ＦｒｅｑｕｅｎｃｙＮｅｔｗｏｒｋ）に用いられ、単位伝送区間（フレーム）の長さＴｆは、９６ｍ秒、シンボルの長さＴｓは、１ｍ秒、ガードバンドの長さＴｇは、２４８μ秒とされたモード１のＤＡＢの放送信号を受信選局する場合を例にして説明する。
【００３５】
図１は、この実施の形態のＤＡＢの受信機を説明するためのブロック図である。図１に示すように、この実施の形態の受信機は、アンテナ１と、フロントエンド部（受信選局部）２と、Ａ／Ｄ変換部３と、直交復調部４と、自動周波数制御部（以下、ＡＦＣ部と略称する。）５と、高速フーリエ変換部（以下、ＦＦＴ部と略称する。）６と、ビタビデコード部７と、ＭＰＥＧデコード部８と、Ｄ／Ａ変換部９と、出力端子１０と、デジタルシグナルプロセッサ（ＤＳＰ）の構成とされたコントロール部１１と、Ｄ／Ａ変換部１２と、電圧制御水晶発振器（以下、ＶＣＸＯと略称する。）１３とを備えている。
【００３６】
そして、アンテナ１により受信されたＤＡＢの放送信号は、フロントエンド部２に供給される。フロントエンド部２は、選局部、中間周波変換部などを備えており、コントロール部１１により制御するようにされるＶＣＸＯ１３からの発信周波数に基づいて、ＤＡＢの放送信号を受信選局し、選局した放送信号を中間周波信号に変換して、Ａ／Ｄ変換部３に供給する。
【００３７】
Ａ／Ｄ変換部３は、アナログの中間周波信号をデジタル信号に変換し、これを直交復調部４に供給する。直交復調部４は、デジタル信号とされた中間周波信号から、ベースバンド信号のＩ成分およびＱ成分の信号を復調し、これらをＡＦＣ部５、ＦＦＴ部６に供給する。
【００３８】
ＡＦＣ部５は、この発明によるヌルシンボル位置検出方法、ヌルシンボル位置検出装置が適用されたものであり、詳しくは後述するように、受信選局したＤＡＢの放送信号のヌルシンボルの位置を迅速かつ正確に検出し、この検出処理により得られたデータをコントロール部１１に供給する。
【００３９】
一方、ＦＦＴ部６は、直交復調部４からのＩ成分およびＱ成分の信号をＯＦＤＭ復調する。ここで復調された信号のうち、同期シンボル（ＴＦＰＲシンボル）は、コントロール部１１に供給される。また、ＯＦＤＭ復調されたＦＩＣ、ＭＳＣの情報は、ビタビデコード部７に供給される。
【００４０】
そして、コントロール部１１は、ＡＦＣ部５からのヌルシンボルの検出処理により得られたデータと、ＦＦＴ部６からの同期シンボル部分の周波数解析結果とに基づいて、受信選局したＤＡＢの放送信号の周波数オフセットを求める。求めた周波数オフセットは、Ｄ／Ａ変換部１２においてアナログ信号に変換された後、ＶＣＸＯ１３に供給される。
【００４１】
これにより、ＶＣＸＯ１３の発信周波数が調整され、フロントエンド部２により受信選局され、Ａ／Ｄ変換部３に供給されるＤＡＢの放送信号の周波数オフセットを修正することができるようにされている。この周波数オフセットの修正処理は、初期動作として行われるものであり、この実施の形態の受信機においては、ＤＡＢの放送信号を受信するようにした場合、あるいは、選局しているＤＡＢの放送信号を変更した場合などに行うようにされる。
【００４２】
そして、周波数オフセットが修正されたＤＡＢの放送信号は、直交復調部４、ＦＦＴ部５を通じてビタビデコード部７に供給される。ビタビデコード部４は、ビタビデコード処理を行って、元のＤＡＢの信号を復元する。復元したＤＡＢの信号のうち、ＦＩＣ部分のデータは、コントロール部１１に供給される。
【００４３】
そして、この実施の形態の受信機の使用者からの選択指示に応じた選択制御信号が、コントロール部１１からビタビデコード部７に供給するようにされ、ＤＡＢの放送信号に多重化されている複数の放送番組のうち、選択制御信号によって指示された放送番組のオーディオデータが抽出され、これがＭＰＥＧデコード部８に供給される。
【００４４】
ＭＰＥＧデコード部８は、ＭＰＥＧ圧縮されているオーディオデータを伸長し、これをＤ／Ａ変換部９に供給する。Ｄ／Ａ変換部９は、これに供給されたデジタルオーディオ信号をアナログ信号に変換し、これを出力端子１０を通じて出力するようにする。出力端子１０を通じて出力されるオーディオ信号は、例えばスピーカに供給され、目的とする放送番組を聴取することができるようにされる。
【００４５】
そして、この実施の形態の受信機において、受信選局したＤＡＢの放送信号のヌルシンボルの位置の検出は、受信信号のエンベロープ波形を用いて行うのではない。この実施の形態の受信機においては、ＡＦＣ部５において、受信選局したＤＡＢの放送信号と、この放送信号を１有効シンボル分遅延させた信号との相関値を算出し、算出した相関値を利用して、受信選局したＤＡＢの放送信号のヌルシンボルの位置を検出するようにしている。
【００４６】
図２は、この実施の形態の受信機のＡＦＣ部５を説明するためのブロック図である。図２に示すように、この実施の形態の受信機のＡＦＣ部５は、Ｉ成分遅延回路５１、Ｑ成分遅延回路５２、相関回路５３、移動平均回路５４、絶対値回路５５、ピーク判別回路５６、ピーク時間検出回路５７、シンボルカウンタ５８、ローカルタイムカウンタ５９、ピーク値一時保持回路６０、ピーク時間一時保持回路６１、レベルパターン判別回路６２、時間間隔判別回路６３、ヌル判別回路６４とを備えている。
【００４７】
そして、前述したように、直交復調部４からのベースバンド信号のＩ成分、Ｑ成分の信号が、ＡＦＣ部５に供給される。このベースバンド信号のＩ成分の信号Ｉ、Ｑ成分の信号Ｑは、相関回路５３に供給されるとともに、Ｉ成分の信号Ｉが、Ｉ成分遅延回路５１に供給され、Ｑ成分の信号ＱがＱ成分遅延回路５２に供給される。
【００４８】
そして、Ｉ成分遅延回路５１は、これに供給されたＩ成分の信号Ｉを１有効シンボル分遅延させ、これをＩ成分の信号の遅延信号Ｉｄとして相関回路５３に供給する。同様に、Ｑ成分遅延回路５２は、これに供給されたＱ成分の信号を１有効シンボル分遅延させ、これをＱ成分の信号の遅延信号Ｑｄとして相関回路５３に供給する。
【００４９】
相関回路５３は、Ｉ成分の信号Ｉと、Ｑ成分の信号Ｑと、これらを１有効シンボル分遅延させたＩ成分の信号の遅延信号Ｉｄ、Ｑ成分の信号の遅延信号Ｑｄとの相関をとる。つまり、相関回路５３は、Ｉ成分の信号についての相関値Ｉｒと、Ｑ成分の信号についての相関値Ｑｒとを、次の（１）式、（２）式により求める。
【００５０】
Ｉ成分の信号についての相関値Ｉｒ＝Ｉ・Ｉｄ＋Ｑ・Ｑｄ    …（１）
Ｑ成分の信号についての相関値Ｑｒ＝Ｑ・Ｉｄ−Ｉ・Ｑｄ    …（２）
相関回路５３により算出された相関値（複素ベクトル）Ｉｒ、Ｑｒは、移動平均回路５４に供給される。移動平均回路５４は、相関値Ｉｒ、Ｑｒについて、ガードバンドの期間に等しい期間分の移動平均Ｉａ、Ｑａを算出し、これらを絶対値回路５５に供給する。
【００５１】
このように、相関値Ｉｒ、Ｑｒについて移動平均を求めるのは、ＤＡＢの放送信号の各送信シンボルの境目でピーク値を発生させるようにするためである。図３は、相関値Ｉｒ、Ｑｒの移動平均のピーク値が、各送信シンボルの境目に発生させるようにすることを説明するための図である。
【００５２】
図５を用いて前述したように、ＤＡＢの放送信号の各送信シンボルにおいては、ガードバンドの期間の情報と、有効シンボルの後尾部分のガードバンドの期間と同じ長さの期間ＤＫの情報とは同じものとなるようにされている。このため、図３Ａに示すように、ＤＡＢの放送信号と、これを１有効シンボル分遅延させた信号との相関を求めるようにすることにより、有効シンボルの後尾部分の期間ＤＫの情報と、ガードバンドの期間の情報との相関値を求めることができるようにする。
【００５３】
そして、ガードバンドの期間と同じ長さの期間分について、ＤＡＢの放送信号と、これを１有効シンボル分遅延させた信号との相関値の移動平均を求めるようにすると、前述したように、ガードバンドの期間の情報と、有効シンボルの期間ＤＫの情報とは、同じ情報となるようにされているので、各送信シンボルの最後尾（各送信シンボルの境目）の位置Ｐ１、Ｐ２、Ｐ３、…において、相関値の移動平均の値が最大となる。
【００５４】
つまり、各送信シンボルの境目においては、相関値のガードバンド分の移動平均の値はピーク値となるので、送信シンボルが連続する期間においては、送信シンボルの期間の長さである１ｍ秒ごとに、相関値の移動平均のピーク値が発生することになる。
【００５５】
また、ＤＡＢの放送信号と、これを１有効シンボル分遅延させた信号との相関を求めるようにした場合であって、ヌルシンボル付近においては、図３Ｂに示すように、ヌルシンボルと有効シンボルとの相関値、ヌルシンボルとヌルシンボルの相関値、ブロック１とヌルシンボルの相関値を求めるようにしても、ヌルシンボルの期間には、前述したように、データとして伝送するようにされる送信情報は存在しないので、相関値を求めてもその相関のレベルは低い。
【００５６】
したがって、送信シンボルが連続する期間においては、１送信シンボル毎（１ｍ秒）毎に相関値の移動平均のピーク値が発生するのに対し、ヌルシンボル部分においては、移動平均にピーク値にレベルは非常に低くなる。このため、図３Ｂに示すように、ヌルシンボルの直前の相関値の移動平均の高レベルのピーク値の発生位置Ｐｅから、次の高レベルのピーク値の発生位置Ｐｓまでの間の期間は、ヌルシンボルの期間と、ブロック１の期間とを合わせた期間となり、相関値の移動平均の高レベルのピーク値の発生周期が、送信シンボルが連続する期間とは異なることになる。
【００５７】
また、ＤＡＢの放送信号の場合には、ヌルシンボル以外の各シンボルの期間の長さは同じであるが、ヌルシンボルの期間の長さは、ヌルシンボル以外のシンボルよりも数十ｍ秒程度長くなるようにされている。
【００５８】
そして、この実施の形態においては、以下に説明するように、移動平均（複素ベクトル）の絶対値から移動平均のピーク値を求め、そのピーク値の発生周期を検出するようにすることにより、ヌルシンボルの位置を検出するようにしている。つまり、ベクトルの位相差情報を利用することにより、ヌルシンボルの位置を検出するようにしている。
【００５９】
つまり、絶対値回路５５は、相関値Ｉａ、Ｑａの移動平均のピーク値を検出するようにするため、絶対値Ｓ＝Ｉａ2 ＋Ｑａ2 なる演算を行って、移動平均Ｉａの２乗と移動平均Ｑａの２乗との和を求めることにより、移動平均（複素ベクトル）の絶対値Ｓを算出し、これをピーク判別回路５６に供給する。
【００６０】
ピーク判別回路５６は、前回供給された絶対値Ｓと、新たに供給された絶対値Ｓとを比較し、より値の大きい方をピーク判別回路５６に残すようにする。なお、このとき、例えば、前回供給された絶対値Ｓと、新たに供給された絶対値Ｓとを比較する前に、絶対値回路５５からの絶対値Ｓと、予め設定される閾値（スレッショールド）とを比較し、閾値より小さい絶対値Ｓは、ピーク値とみなさないようにしてもよい。
【００６１】
また、ピーク値判別回路５６は、絶対値Ｓが供給されたときには、絶対値Ｓが供給されたことをピーク時間検出回路５７に通知する。このタイミングで、ピーク時間検出回路５７は、ローカルタイムカウンタ５９から絶対値Ｓの発生時点を示す時間情報（カウント値）を検出し、これを保持する。
【００６２】
そして、ピーク値一時保持回路６０は、シンボルカウンタ５８からのタイミング信号に応じて、ピーク判別回路５６に保持されている絶対値Ｓ（ピーク値）をラッチする。同様に、ピーク時間一時保持回路６１は、シンボルカウンタ５８からのタイミング信号に応じて、ピーク時間検出回路５７に保持されている時間情報（ピーク時間）をラッチする。
【００６３】
ここで、シンボルカウンタ５８は、ＤＡＢの放送信号の１シンボル毎に１クロックのタイミング信号を発生させるものである。また、ローカルタイムカウンタは、例えば、１．５μ秒程度のクロックでカウント処理を行い、ＤＡＢの放送信号の１フレームで１周するようにされたものである。
【００６４】
したがって、この実施の形態の受信機は、前述したように、モード１のＤＡＢの放送信号を受信するものであるので、シンボルカウンタ５８は、１ｍ秒のクロック信号を発生させるものであり、ローカルタイムカウンタ５９は、例えば、１．５μ秒のクロック信号でカウント処理を行い、９６ｍ秒で１周するようにされるものである。
【００６５】
これにより、ピーク値一時保持回路６０により、各伝送シンボルの境目で最大となる相関値の移動平均のピーク値がラッチされ、ピーク時間一時保持回路６１により、ピーク値一時保持回路６０によりラッチされたピーク値の発生時間を示すピーク時間がラッチされる。
【００６６】
そして、ピーク値一時保持回路６０は、ピーク判別回路５６から得たピーク値をレベルパターン判別回路６２に供給する。また、ピーク時間一時保持回路６１は、ピーク時間検出回路５７から得たピーク時間を時間間隔判別回路６３に供給する。
【００６７】
なお、ピーク値一時保持回路６０、ピーク時間一時保持回路６１は、シンボルカウンタ５８からのタイミング信号に応じて、ピーク値、ピーク時間をラッチし、ラッチした情報をレベルパターン判別回路６２、時間間隔判別回路６３に供給した後、シンボルカウンタ５８からのタイミングでピーク値、ピーク時間がクリアするようにされる。
【００６８】
レベルパターン判別回路６２は、ｎ（ｎは、２以上の整数）個のピーク値を保持することができるようにされたものであり、時間間隔判別回路６３は、レベルパターン判別回路６２に保持されたｎ個のピーク値に対応するｎ個のピーク時間を保持することができるものである。この実施の形態において、レベルパターン判別回路６２は、３つのピーク値を保持することができるものであり、時間間隔判別回路６３は、３つのピーク時間を保持することができるものである。
【００６９】
そして、レベルパターン判別回路６２は、保持している３つのピーク値のレベルの高低のパターンに基づいて、ヌルシンボルが受信されたか否かを判別する。つまり、図３を用いて前述したように、送信シンボルが連続する期間においては、相関値の移動平均のピーク値は高レベルであり、かつ、送信シンボルの期間毎に繰り返し発生する。しかし、送信シンボルの期間より長いヌルシンボルの期間の場合には、相関値の移動平均のピーク値は低レベルである。この場合には、隣り合う高レベルのピーク値間の間隔も広くなる。
【００７０】
このため、レベルパターン判別回路６２に取り込まれる３つのピーク値のうち、１つでも低レベルのピーク値が存在すれば、ヌルシンボルの期間を含んでいると判別することができる。そして、低レベルのピーク値があるために、ヌルシンボル有りと判別された場合には、時間間隔判別回路６３において、各ピーク値間の時間間隔を求める。
【００７１】
そして、時間間隔判別回路６３は、ヌルシンボルを含むと考えられるピーク値間の長さが、ＤＡＢの放送信号のモード１の場合のヌルシンボルを含む場合の長さに当てはまるか否かを判別する。これにより、ヌルシンボルを含むと検出された期間が真にヌルシンボルを含むか否かを判別することができる。
【００７２】
また、レベルパターン判別回路６２および時間間隔判別回路６３からの判別結果など情報は、ヌル判別回路６４に供給するようにされている。そして、前述したように、時間間隔判別回路６３により、ヌルシンボルが検出された場合には、ヌル判別回路６４は、レベルパターン判別回路６２から１シンボル毎に供給されるピーク値や、このピーク値の供給タイミング、あるいは、時間間隔判別回路６３からの情報であるピーク時間などに基づいて、当該フレームの最終端のローカルタイムを求め、当該フレームの最終端のタイミングで、求めたローカルタイムをローカルタイムカウンタ５９に供給する。
【００７３】
ローカルタイムカウンタ５９は、ヌル判別回路６４からのローカルタイムの供給を受けたときには、カウント値をリセットし、受信選局したＤＡＢの放送信号の各フレームのヌルシンボルの先頭から”０“スタートすることができるようにされる。また、ヌル判別回路６４は、ヌルシンボルの先頭のタイミングで、この実施の形態のコントロール部１１に、ヌルシンボルの検出信号を供給することができるようにされている。
【００７４】
このように、この実施の形態のＡＦＣ部５は、ヌルシンボル位置検出装置としての機能を有するものであり、このうち、レベルパターン判別回路６２、時間間隔判別回路６３、ヌルシンボル判別回路６４によりヌルシンボル検出回路が構成されている。そして、この実施の形態においては、デジタル処理により、受信選局した放送信号のヌルシンボルの位置、すなわち、フレームの先頭を検出することができるようにされている。
【００７５】
次に、図４のフローチャートを参照しながら、レベルパターン判別回路６２、時間間隔判別回路６３、ヌルシンボル判別回路６４により行われるヌルシンボルの検出処理について説明する。この図４に示すヌルシンボルの検出処理は、前述もしたように、この実施の形態の受信機によりＤＡＢの放送信号を受信選局するようにした直後や、あるいは、ＤＡＢの放送信号の選局を換えた直後に実行するようにされる。
【００７６】
そして、レベルパターン判別回路６２は、新たなピーク値が、ピーク値一時保持回路６０から供給されたか否かを判断し（ステップＳ２０１）、供給されていないと判断したときにはステップＳ２０１からの処理を繰り返す。ステップＳ２０１の判断処理において、新たなピーク値が供給されたと判断したときには、レベルパターン判別回路６２は、新しいピーク値をも含めて、レベルパターン判別回路６２が保持する過去ｎ個（例えば、３個）のピーク値のレベルを比較し（ステップＳ２０２）、１つだけレベルが低いピーク値があるか否かを判断する（ステップＳ２０３）。
【００７７】
ステップＳ２０３の判断処理において、レベルパターン判別回路６２により、レベルの低いピーク値はないと判断された場合には、レベルパターン判別回路６２は、保持しているｎ個のピーク値のうち、一番古いピーク値を消去し（ステップ２０７）、ステップＳ２０１からの処理を繰り返すようにする。
【００７８】
また、ステップＳ２０３の判断処理において、レベルパターン判別回路６２により、１つだけレベルの低いピーク値が有ると判断された場合、すなわち、ヌルシンボルを含む期間である可能性が高いと判断された場合には、時間間隔判別回路６３は、各ピーク値に対応する各ピーク時間に基づいて、ヌルシンボルが含まれる期間であるピーク値とピーク値の間の期間の時間間隔を計算する（ステップＳ２０４）。
【００７９】
そして、時間間隔判別回路６３は、算出したピーク値間の時間間隔の長さが、該当するモードのヌルシンボルを含む場合の期間の長さに当てはまるか否かを判断する（ステップＳ２０５）。つまり、ヌルシンボルを含む期間であれば、図３Ｂを用いて前述したように、ピーク値間の間隔は、ヌルシンボルの期間の長さと、送信シンボル（図３Ｂにおいてはブロック１）の期間の長さとをたし合わせた長さとなる。これに対し、送信シンボルが連続する期間であるが、何らかの理由により単に相関値の移動平均のピーク値が１つ欠落しただけであれば、ピーク値間の期間の長さは、単に送信シンボルの期間の２倍に長さになるだけである。
【００８０】
なお、図３Ｂを用いて前述したように、ピーク値Ｐｅ、Ｐｓ間の期間の長さから、送信シンボル１つ分の期間の長さを減算すれば、ヌルシンボルの期間の長さを算出することができる、この算出したヌルシンボルの期間の長さと、目的とするモードのヌルシンボルの期間の長さとを比較し、一致するか否かを判断するようにすることもできる。
【００８１】
そして、ステップＳ２０５の判断処理において、算出したピーク値間の時間間隔の長さが、該当するモードのヌルシンボルを含む場合の期間の長さに当てはまらないと判断された場合には、レベルパターン判別回路６２は、保持しているｎ個のピーク値のうち、一番古いピーク値を消去し（ステップ２０７）、ステップＳ２０１からの処理を繰り返すようにする。
【００８２】
また、ステップＳ２０５の判断処理において、算出したピーク値間の時間間隔の長さが、該当するモードのヌルシンボルを含む場合の期間の長さに当てはまると時間間隔判別回路６３により判断された場合には、ヌル判別回路６４は、レベルパターン判別回路６２からの情報や、時間間隔判別回路６３からのピーク時間などの情報に基づいて、ＤＡＢの放送信号のフレームの最終端のローカルタイムを求め、これを当該フレームの最終端のタイミングで、ローカルタイムカウンタ５９にセットする（ステップＳ２０６）。
【００８３】
これにより、ローカルタイムカウンタ５９は、ヌル判別回路６４からのローカルタイムが供給されることにより、リセットするようにされ、これ以降、ローカルタイムカウンタ５９は、受信信号のヌルシンボルの先頭で常に”０“でスタートするようにされる。
【００８４】
また、前述もしたように、ヌル判別回路６４は、各フレームの先頭でヌルシンボルの検出信号をコントロール部１１に供給することができるようにされている。このため、コントロール部１１は、正確に受信信号の周波数オフセットを求め、この周波数オフセットをＶＣＸＯ１３を制御することにより迅速かつ正確に修正することができる。
【００８５】
このように、この実施の形態においては、受信信号の相関に注目して受信信号のヌルシンボルの位置をデジタル処理により検出するようにしているので、受信真の受信レベルの高低には影響されず、フェージングなどによりＤＡＢの放送信号の受信レベルが変動したとしても、常時、迅速かつ正確にヌルシンボルの位置を検出することができる。
【００８６】
また、前述したように、ヌルシンボルである可能性が高い期間の長さと、目的とするモードの放送信号のヌルシンボルを含んだ場合の期間の長さとの一致を見ることにより、例えば、送信シンボルの期間においての高レベルのピーク値が、たまたま欠落してしまったような場合でも、この期間をヌルシンボルの期間として誤って判別することがないようにすることができる。
【００８７】
つまり、計算により求められるヌルシンボルの期間の長さが、目的とするモードのＤＡＢの放送信号にヌルシンボルの期間の長さに当てはまるか否かが判断するようにしているので、ヌルシンボルの誤検出を確実に防止することができるようにしている。
【００８８】
なお、前述の実施の形態においては、受信選局したＤＡＢの放送信号と、この放送信号を有効シンボル分遅延させた信号との相関値を求め、この相関値のガードバンドの期間の長さと同じ期間分の移動平均を求めることにより、受信シンボルの境目において移動平均のピーク値を発生させるようにした。しかし、移動平均を用いないようにすることもできる。
【００８９】
つまり、図３Ａを用いて前述したように、有効シンボルの後尾部分の期間ＤＫの情報と、ガードバンドの期間の情報との相関値を求めただけでも、その期間の相関値は高くなる。そして、相関値が高くなる周期は、図３Ｂを用いて前述したように、受信シンボルが連続する期間とヌルシンボルを含む期間とでは異なる。したがって、送信シンボルの期間と、ヌルシンボルの期間とでは、相関値の高くなる周期が違うことを検出するようにすればヌルシンボルを検出することができる。
【００９０】
そして、例えば、レベルの高い相関値がガードバンド期間と同じ長さの期間分続いた後には、次の送信シンボルの先頭が位置するので、このような情報を用いることによって、そのフレームの最終端のローカルタイムを特定し、そのフレームの最終端のタイミングで、当該最終端のローカルタイムをローカルタイムカウンタ５９にセットし、ローカルタイムカウンタをリセットするようにすることもできる。
【００９１】
また、前述の実施の形態においては、ピーク値の出現パターンに基づいて、ヌルシンボルを受信したか否かを判別し、ヌルシンボルを受信したと判別した場合には、ピーク値の時間間隔を算出して、真にヌルシンボルを受信下か否かを検出するようにした。しかし、これに限るものではない。
【００９２】
例えば、ピーク値の出現パターンに基づいて、ヌルシンボルを受信したか否かを判別し、ヌルシンボルを受信したと判別したときに、ヌルシンボルの位置を特定するようにしてもよい。また、時間方向に隣り合うピーク値の時間間隔のみを観視するようにし、この時間間隔のみによってヌルシンボルを検出するようにし、ヌルシンボルの位置を検出するようにすることもできる。
【００９３】
つまり、ピーク値の発生の周期の変化、あるいは、ピーク値の出現パターンのいづれか一方の情報に基づいて、ヌルシンボルの位置を検出するようにすることもできる。しかし、ピーク値の発生の周期の変化として、ピーク値間の時間間隔をも考慮することにより、前述もしたように、ヌルシンボルの誤検出を確実に防止することができる。
【００９４】
また、相関値に移動平均のピーク値を用いる場合と同様に、単に相関値を用いる場合にも、ピーク値の発生の周期の変化、あるいは、ピーク値の出現パターンのいづれか一方の情報に基づいて、ヌルシンボルの位置を検出するようにすることもできる。
【００９５】
また、前述の実施の形態の受信機は、モード１のＤＡＢの放送信号を受信する場合として説明したが、受信選局可能なＤＡＢの放送信号は、モード１に限るものではなく、モード２、モード３などの各種のモードに対応することができる。
【００９６】
また、ＤＡＢのうち、モード１の放送信号だけを受信して処理するようにすることもできる。また、モード１、モード２、モード３などのすべてのモードの放送信号を受信選局できるようにしておき、受信選局した放送信号に応じて、あるいは、受信機の使用者が手動で、受信選局するＤＡＢの放送信号のモードを切り換えるようにし、受信選局するＤＡＢの放送信号のモードに応じて、ヌルシンボルの位置を検出するようにすることができる。
【００９７】
また、図２に示したこの発明によるヌルシンボル位置検出装置を形成し、これを各種の受信機に搭載するようにすることももちろんできる。
【００９８】
また、この発明は、ＤＡＢの放送信号に対してのみ適用されるものではない。例えば、ＯＦＤＭ変調が用いられ、ガードバンドの期間を有するようにされる各種のデジタル音声放送や、各種の地上デジタルテレビ放送を利用する場合に、この発明を適用することができる。例えば、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）などにこの発明を適用することができる。
【００９９】
また、放送信号に限ることなく、ヌルシンボルと送信シンボルとが時分割的に多重化され、送信シンボルが、ガードバンドと有効シンボルとからなり、ガードバンドの情報が、有効シンボルの一部分の情報と同じようにされて送信するようにされる各種の送信信号を利用する場合にこの発明を用いることができる。
【０１００】
【発明の効果】
以上説明したように、この発明によれば、受信信号の相関を用いて、ヌルシンボル位置を検出するようにしているので、フェージング環境化など、受信信号の受信レベルが変化しても、迅速かつ正確にヌルシンボルの位置を検出することができる。したがって、受信信号の周波数オフセットを迅速かつ正確に求め、これを迅速に修正し、迅速に良好な状態で放送信号を利用可能にすることができる。
【０１０１】
また、デジタル処理によりヌルシンボルの位置を検出するので、アナログ受信信号の場合と異なり、ヌルシンボルの検出に遅れを生じさせることなく、受信信号からヌルシンボルを迅速にしかも正確に検出することができる。
【図面の簡単な説明】
【図１】この発明による受信機の一実施の形態を説明するためのブロック図である。
【図２】図１に示した受信機のＡＦＣ部を説明するためのブロック図である。
【図３】図２に示したＡＦＣ部において行われる相関値の移動平均を求めることについて説明するための図である、
【図４】ヌルシンボルの検出処理を説明するためのフローチャートである。
【図５】ＤＡＢの放送信号のフレーム構造を説明するための図である。
【図６】ＤＡＢの放送信号からヌルシンボル位置を検出する場合のアナログ的な処理を説明するための図である。
【図７】ＤＡＢの放送信号からヌルシンボル位置を検出する場合のアナログ的な処理の問題点を説明するための図である。
【符号の説明】
１…アンテナ、２…フロントエンド部、３…Ａ／Ｄ変換部、４…直交復調部、５…ＡＦＣ部（自動周波数制御部）、６…ＦＦＴ部（高速フーリエ変換部）、７…ビタビデコード部、８…ＭＰＥＧデコード部、９…Ｄ／Ａ変換部、１０…出力端子、１１…コントロール部（ＤＳＰ）、１２…Ｄ／Ａ変換部、１３…ＶＣＸＯ（電圧制御水晶発振器）、５１…Ｉ成分遅延回路、５２…Ｑ成分遅延回路、５３…相関回路、５４…移動平均回路、５５…絶対値回路、５６…ピーク判別回路、５７…ピーク時間検出回路、５８…シンボルカウンタ、５９…ローカルタイムカウンタ、６０…ピーク値一時保持回路、６１…ピーク時間一時保持回路、６２…レベルパターン判別回路、６３…時間間隔判別回路、６４…ヌル判別回路６４
【図１】
0004164609.tif 000002
【図２】
0004164609.tif 000003
【図３】
0004164609.tif 000004
【図４】
0004164609.tif 000005
【図５】
0004164609.tif 000006
【図６】
0004164609.tif 000007
【図７】
0004164609.tif 000008